(57)【特許請求の範囲】
【請求項１】
供給部から洗浄ウェブを巻取る巻取りロールと、この巻取りロールを回動させる巻取りレバーと、前記巻取りレバーの回動端限を規制し巻取りロールに巻き取られた洗浄ウェブの量にかかわらず一定量の洗浄ウェブを巻取る定量送り手段とが設けられた洗浄ユニットを備え、この洗浄ユニットを、前記洗浄ウェブをシリンダの周面に接触させる洗浄位置と、シリンダの周面から離間させる退避位置との間で移動自在となるように印刷機フレーム側に支持した印刷機のシリンダ洗浄装置において、
印刷機フレーム側に支持され前記巻取りレバーと当接する作動部材を備え、
前記洗浄ユニットの前記洗浄位置または前記退避位置のいずれか一方の位置において前記巻取りレバーは前記作動部材と離間するとともに前記定量送り手段と接触して前記巻取りレバーの回動端限が規制され、前記洗浄ユニットの前記洗浄位置または前記退避位置のいずれか他方の位置への移動により前記巻取りレバーが前記作動部材と当接して回動し、
前記洗浄ユニットの前記一方の位置における前記作動部材と前記巻取りレバーとの離間間隔を遠近調節自在とし、これにより前記洗浄ユニットの前記他方の位置における前記巻取りレバーの前記作動部材により回動される端限を調節して前記一定量を調整することを特徴とする印刷機のシリンダ洗浄装置。
【請求項２】
供給部から洗浄ウェブを巻取る巻取りロールと、この巻取りロールを回動させる巻取りレバーと、前記巻取りロールに巻き取られた洗浄ウェブの量にかかわらず一定量の洗浄ウェブを巻取る定量送り手段とを備え、洗浄ウェブをシリンダ表面に接触させてシリンダ表面を洗浄する印刷機のシリンダ洗浄装置において、
進退自在な作動ロッドを有するアクチュエータを備え、作動ロッドは後退することにより前記巻取りレバーと離間し前進することにより前記巻取りレバーに当接し巻取りレバーを回動させ、
前記作動ロッドと前記巻取りレバーとの離間間隔を遠近調節自在とし、前記定量送り手段による洗浄ウェブの一定の巻取り量を調整することを特徴とする印刷機のシリンダ洗浄装置。
【発明の詳細な説明】
【０００１】
【発明の属する技術分野】
本発明は各種の印刷機において、版胴，ブランケット胴，圧胴，渡し胴等の印刷胴や、着ローラ，振りローラ等のシリンダの周面を洗浄するシリンダ洗浄装置に関する。
【０００２】
【従来の技術】
オフセット印刷機や凹版印刷機等各種の印刷機は、版胴，ブランケット胴，圧胴，渡し胴等の印刷胴や、着ローラ，振りローラ等のローラを備えており、これら印刷胴やローラ等のシリンダの周面には、印刷作業においてインキかすや紙粉等の異物が付着して印刷物の品質を低下させるので、印刷機にはこれらの異物を除去するシリンダ洗浄装置が付設されている。このシリンダ洗浄装置は、洗浄液が供給されシリンダ周面に付着した異物を拭き取る不織布などからなる帯状の洗浄ウェブを供給する供給ローラおよび洗浄ウェブを巻取る巻取りローラが設けられた洗浄ユニットと、前記巻取りローラを回転駆動させて洗浄ウェブを巻取る洗浄ウェブ巻取り用のアクチュエータと、洗浄ユニットをシリンダの周面に対して遠近方向に移動させて洗浄ウェブをシリンダの周面に接触または離間させるユニット着脱用のアクチュエータとから概略構成されている。そして、このシリンダ洗浄装置には、巻取りローラに巻き取られた洗浄ウェブの量にかかわらず一定量の洗浄ウェブを巻取る定量送り手段が備えられている。
【０００３】
図１８は従来の印刷機のシリンダ洗浄装置の側面図、図１９は同じく正面から視た展開図である。これらの図において、２は左右のフレーム３に軸架されたブランケット胴、４は進退自在な作動ロッド５を備えフレーム３に枢着されたユニット着脱用のアクチュエータ、６は基端が作動ロッド５に枢着され、中央において後述するサブフレーム１０に植設された支軸７に揺動自在に支持され、かつ揺動端にＵ字溝８が形成されたレバーである。サブフレーム１０はボルト１０ａによってフレーム３に取り付けられており、上部にＵ字溝１１が設けられ、ほぼ中央に作動ロッド１３を有する布巻取り用のアクチュエータ１２が取り付けられている。
【０００４】
全体を符号１５で示す洗浄ユニットには、左右一対のサイドフレーム１６（一方は図示を省略）が備えられている。１８はサイドフレーム１６に回転自在に支持された洗浄布供給ロールであって、洗浄ウェブとしての洗浄布１７が巻回されている。１９は布巻取り軸であって、一方向クラッチ２０によってサイドフレーム１６に図１８において反時計方向にのみ回転可能に支持され、洗浄布１７が巻取られる洗浄布巻取りロール２１が固定されている。２２は布巻取りレバーであって、前記布巻取り軸１９に介装された一方向クラッチ２３を介して布巻取り軸１９に固定されており、図１８において反時計方向に回動したときには布巻取り軸１９を一体的に回動させ、時計方向に回動したときには、布巻取り軸１９を回動させずに布巻取りレバー２２のみが回動する。
【０００５】
この布巻取りレバー２２には、一側部に突起２２ａが突設され、また上部にピン２４が植設されており、サイドフレーム１６に一端が掛け止めされた引張りばね２５によって図１８で時計方向に回動習性が付与されている。２６は前記洗浄布供給ロール１８と洗浄布巻取りロール２１とに張設された洗浄布１７をブランケット胴２の周面に押圧する弾性を有するプレートである。全体を符号２７で示すものは、定量送り手段であって、サイドフレーム１６に回転自在に支持された支軸２８と、この支軸２８に固定された定量送りカム２９と、支軸２８の端部に固定され、先端にころ３１が枢着されたＬ字状のころアーム３０とから構成されている。３２は前記定量送りカム２９とサイドフレーム１６のばね掛けに張架された引張りコイルばねであって、この引張りコイルばね３２はころ３１を常時前記洗浄布供給ロール１８の周面に押圧するように、ころアーム３０に図１８で反時計方向への回動力を付与している。
【０００６】
定量送りカム２９には前記布巻取りレバー２２の突起２２ａが係合しており、これによって布巻取りレバー２２の回動端限が規制されている。そして、洗浄布供給ロール１８の減量によるころ３１の移動で定量送りカム２９が回動することにより、巻取りレバー２２の回動端限が変化し、巻取りレバー２２の１回の回動による洗浄布１７の洗浄布巻取りロール２１への巻取り量が常に一定量となる。サイドフレーム１６の上部と下部にはピン３３，３４が植設されている。このように構成された洗浄ユニット１５は、上部のピン３３が前記サブフレーム１０のＵ字溝１１内に係入されることによってピン３３を揺動中心としてサブフレーム１０に揺動自在に支持される。また、下部のピン３４が前記レバー７のＵ字溝８に係入される。
【０００７】
次に、このような構成における洗浄動作を説明する。洗浄布１７には、図示を省略した洗浄液噴射ノズルから洗浄液が噴射される。ユニット着脱用アクチュエータ４の作動ロッド５が後退すると、レバー６が支軸７を回動中心として図中時計方向に回動する。この回動により、レバー６のＵ字溝８に係入しているピン３４を介して洗浄ユニット１５が上部のピン３３を回動中心として反時計方向に回動して洗浄布１７が版胴２の周面に押圧され、洗浄ユニット１５がブランケット胴２に接触状態となる。この状態で、布巻取り用のアクチュエータ１２を作動させ、作動ロッド１３を前進させてピン２４に係合させて布巻取りレバー２２を反時計方向に回動させることにより、洗浄布１７を洗浄布巻取りロール２１に巻取り、洗浄液を含んだ洗浄布１７を低速回転するブランケット胴２の周面に押圧し、周面に付着した汚れを洗浄布１７によって拭き取る。
【０００８】
汚れた洗浄布１７を巻取るには、ユニット着脱用のアクチュエータ４を作動させて作動ロッド５を前進させて、洗浄ユニット１５をピン３３を回動中心として時計方向に回動させ、洗浄布１７をブランケット胴２の周面から離間させる。この状態において、布巻取り用のアクチュエータ１２を作動させて作動ロッド１３を進出させてピン２４に係合させることにより、布巻取りレバー２２を反時計方向に回動させることにより、洗浄布１７を洗浄布巻取りロール２１に巻取る。このときの巻取り量は、前記定量送り手段２７により布巻取りレバー２２の回動端限が決められているので常に一定量となる。
【０００９】
【発明が解決しようとする課題】
ブランケット胴２の周面に洗浄布を押し付ける押付力は、洗浄布の種類によって適正な押圧力が選択されており、この押圧力の大小によってブランケット胴２に接触する洗浄布１７のブランケット胴２の回転方向に沿った接触幅が異なる。このため、常に一定量の洗浄布の巻取りを行う上述した従来の印刷機のシリンダ洗浄装置においては、洗浄布の押圧力が大きい場合に、すなわち接触幅が大きい場合には、汚れた洗浄布の巻取り量が不足して洗浄不良が発生したり、逆に洗浄布の押圧力が小さい場合に、すなわち接触幅が小さい場合には、余計に巻取り過ぎて不経済である。
【００１０】
したがって、本発明は上記した従来の問題に鑑みてなされたものであり、その目的とするところは、洗浄不良を防止するとともに、洗浄ウェブを経済的に使用できる印刷機のシリンダ洗浄装置を提供することにある。
【００１１】
【課題を解決するための手段】
この目的を達成するために、請求項１に係る発明は、供給部から洗浄ウェブを巻取る巻取りロールと、この巻取りロールを回動させる巻取りレバーと、前記巻取りレバーの回動端限を規制し巻取りロールに巻き取られた洗浄ウェブの量にかかわらず一定量の洗浄ウェブを巻取る定量送り手段とが設けられた洗浄ユニットを備え、この洗浄ユニットを、前記洗浄ウェブをシリンダの周面に接触させる洗浄位置と、シリンダの周面から離間させる退避位置との間で移動自在となるように印刷機フレーム側に支持した印刷機のシリンダ洗浄装置において、印刷機フレーム側に支持され前記巻取りレバーと当接する作動部材を備え、前記洗浄ユニットの前記洗浄位置または前記退避位置のいずれか一方の位置において前記巻取りレバーは前記作動部材と離間するとともに前記定量送り手段と接触して前記巻取りレバーの回動端限が規制され、前記洗浄ユニットの前記洗浄位置または前記退避位置のいずれか他方の位置への移動により前記巻取りレバーが前記作動部材と当接して回動し、前記洗浄ユニットの前記一方の位置における前記作動部材と前記巻取りレバーとの離間間隔を遠近調節自在とし、これにより前記洗浄ユニットの前記他方の位置における前記巻取りレバーの前記作動部材により回動される端限を調節して前記一定量を調整するものである。
また、請求項２に係る発明は、供給部から洗浄ウェブを巻取る巻取りロールと、この巻取りロールを回動させる巻取りレバーと、前記巻取りロールに巻き取られた洗浄ウェブの量にかかわらず一定量の洗浄ウェブを巻取る定量送り手段とを備え、洗浄ウェブをシリンダ表面に接触させてシリンダ表面を洗浄する印刷機のシリンダ洗浄装置において、進退自在な作動ロッドを有するアクチュエータを備え、作動ロッドは後退することにより前記巻取りレバーと離間し前進することにより前記巻取りレバーに当接し巻取りレバーを回動させ、前記作動ロッドと前記巻取りレバーとの離間間隔を遠近調節自在とし、前記定量送り手段による洗浄ウェブの一定の巻取り量を調整するものである。
【００１２】
【発明の実施の形態】
以下、本発明の実施の形態を図に基づいて説明する。図１は本発明に係る印刷機のシリンダ洗浄装置の側面図、図２は同じく一部を破断した展開正面図、図３および図４は同じく動作を説明する側面図である。これらの図において、上述した図１８および図１９に示す従来技術において説明した同一または同等の部材については同一の符号を付して詳細な説明は省略する。本発明の特徴とするところは、巻取りレバー２２を回動させる作動部材として機能するプレート３５を、先端を斜めに形成した当接部３５ｂがピン２４に対して遠近方向に移動調節自在となるようにサイドフレーム１０に取り付けた点と、洗浄ユニット１５をブランケット胴２に対して、洗浄布１７をブランケット胴２周面に押圧する洗浄位置と、ブランケット胴２から離間させる退避位置に移動自在とした点にある。
【００１３】
すなわち、このプレート３５は細長い略直方体状に形成されており、長手方向に沿って長穴状の取付孔３５ａが穿設され、この取付孔３５ａに挿通された２個のボルト３６，３６によってサイドフレーム１０に取り付けられている。そして、ボルト３６，３６を緩めてプレート３５をＡ−Ｂ方向に移動させることによって、ピン２４に対して遠近方向に移動調節自在となっている。
【００１４】
次に、このような構成の印刷機のシリンダ洗浄装置における洗浄布の巻取り動作について説明する。まず、ユニット着脱用のアクチュエータ４を作動させて作動ロッド５を前進させて洗浄ユニット１５をピン３３を回動中心として図１において時計方向に回動させ、洗浄布１７をブランケット胴２の周面から離間させて、図１に示す状態とする。このとき、プレート３５の当接部３５ｂは布巻取りレバー２２のピン２４から離間している。
【００１５】
しかるのち、ユニット着脱用のアクチュエータ４を作動させて作動ロッド５をＣ方向に後退させると、洗浄ユニット１５はピン３３を回動中心として、反時計方向に回動し、図３に示すようにピン２４がプレート３５の当接部３５ｂに当接する。さらに、作動ロッド５をＣ方向への後退を進めると、図４に示すように洗浄布１７がブランケット胴２の周面に当接する。このとき、プレート３５は洗浄ユニット１５の回動にかかわらずサブフレーム１０に固定されているので、プレート３５の当接部３５ｂに当接しているピン２４は、図中矢印Ｄ方向に回動させられ、洗浄布１７は洗浄布巻取りロール２１に巻き取られる。
【００１６】
ここで、洗浄布１７の巻取り量を変えるには、ねじ３６を緩めてプレート３５をＡ−Ｂ方向に移動させ、ピン２４に対して当接部３５ｂを移動させることにより行う。すなわち、巻取り量を少なくするには、プレート３５をＢ方向に移動させ、巻取り量を多くするには、プレート３５をＡ方向に移動させることにより調整する。なお、このＡ−Ｂ方向の移動量を決定するのに、プレート３５に近接させて目盛りを表記しておけば、正確でかつ迅速に行うことができる。
【００１７】
図５は本発明の第２の実施形態の要部を示す側面図である。同図において、４０はねじ部４０ａを備えた作動片で、ねじ部４０ａが布巻取り用アクチュエータ１２の作動ロッド１３の先端に螺合し、ナット４１によって固定されている。このような構成において、布巻取りレバー２２の回動による洗浄布の巻取り量を変えるには、ナット４１を緩めねじ部４０ａとの螺合量を変えて、作動片４０を進退させることにより作動片４０の突出量Ｌを変え、布巻取りレバー２２のピン２４に対する作動片４０の遠近方向への移動量を調節することにより行う。
なお、この第２の実施の形態においては、上述した第１の実施例と同様に、洗浄布１７を巻取るのに、洗浄布巻取りロール２１を搭載した洗浄ユニット１５を待避位置と洗浄位置とに移動させて行うだけでなく、洗浄ユニット１５を停止させた状態で、布巻取り用アクチュエータ１２を作動させて作動ロッド１３を進退させて巻取るようにしてもよい。そして、その場合には洗浄ユニット１５全体を移動させることがないので、洗浄布１７の巻取り動作に係る構造が簡易となる。
【００１８】
図６は本発明の第３の実施の形態の要部を示す側面図である。この第３の実施の形態では、作動ロッド１３の後端部をアクチュエータ１２本体から突出させ、ねじ部１３ａを形成したものである。４２ａ，４２ｂはねじ部１３ａに螺合し作動ロッド１３の突出量Ｌを設定して固定するためのダブルナットである。このような構成において、布巻取りレバー２２の回動による洗浄布の巻取り量を変えるには、まずナット４２ｂを緩め、次にナット４２ａを緩めねじ部１３ａとの螺合量を変えて、作動ロッド１３を矢印Ｅ方向に移動させることにより作動ロッド１３の突出量Ｌを変え、布巻取りレバー２２のピン２４に対する作動ロッド１３の先端を遠近方向に移動調節することにより行う。
【００１９】
図７は本発明の第４の実施の形態の要部を示し、（ａ）はレバーの正面図、（ｂ）は一部を破断して示す側面図である。この第４の実施の形態では、ピン２４が布巻取りレバー２２の軸受孔２２ａに距離δ分偏心して支承されており、ボルト４３を締め付けることによりピン２４は軸受孔２２ａ内での周り止めがなされ布巻取りレバー２２に固定される。このような構造において、布巻取りレバー２２の回動による洗浄布の巻取り量を変えるには、ボルト４３を緩めピン２４を回動させることによって、布巻取り用のアクチュエータ１２の作動ロッド１３の先端に対するピン２４の周面までの間隔を調節することにより行う。調節が終了したらボルト４３を締め付ける。
なお、この第４の実施の形態においては、上述した第１の実施例と同様に、洗浄布１７を巻取るのに、洗浄布巻取りロール２１を搭載した洗浄ユニット１５を待避位置と洗浄位置とに移動させて行うだけでなく、洗浄ユニット１５を停止させた状態で、布巻取り用アクチュエータ１２を作動させて作動ロッド１３を進退させて巻取るようにしてもよい。
【００２０】
図８は本発明の第５の実施の形態を示す要部の正面図である。同図において、４４は補助レバーであって、その中央部が布巻取りレバー２２の上端部に植設されたピン４５によって回動自在に支持されている。補助レバー４４の下端部にはねじ４６が挿通されており、布巻取りレバー２２にはこのねじ４６が挿通され、ピン４５を中心として円弧状に形成された案内溝２２ｂが穿設されており、ねじ４６には図示を省略したナットが螺合している。このような構造において、布巻取りレバー２２の回動による洗浄布の巻取り量を変えるには、ねじ４６のナットを緩め、補助レバー４４を、ピン４５を回動中心として案内溝２２ｂに沿って回動させることによって、補助レバー４４の上端部と図示を省略した布巻取り用のアクチュエータの作動ロッドとの間隔を調節することにより行う。調節が終了したらナットをねじ４６に締め付ける。
なお、この第５の実施の形態においては、上述した第１の実施例と同様に、洗浄布１７を巻取るのに、洗浄布巻取りロール２１を搭載した洗浄ユニット１５を待避位置と洗浄位置とに移動させて行うだけでなく、洗浄ユニット１５を停止させた状態で、布巻取り用アクチュエータ１２を作動させて作動ロッド１３を進退させて巻取るようにしてもよい。
【００２１】
図９は本発明の第６の実施の形態を示す概略の構成図である。同図において、４７は布巻取りレバー２２の上端部に枢着されたころである。４８は回転中心４８ａから各頂点までの距離α，β，γがそれぞれ異なる（α≠β≠γ）不等辺三角形状に形成された調整用カムであって、各頂点が前記ころ４７に選択的に対接されるように図示を省略したクリック機構により回動角を選択可能に支承されている。このような構成において、布巻取りレバー２２の回動による洗浄布の巻取り量を変えるには、作動カム４８を回動操作して、ころ４７に対接する作動カム４８の頂点を選択することによって行われる。
【００２２】
図１０は本発明の第７の実施の形態を示し、（ａ）は概略構成を示す側面図、（ｂ）はブロック図である。これらの図において、５０は作動ロッド１３が布巻取り用のアクチュエータ１２内に最も後退したときの原点位置を検出する原点センサ、５１は作動ロッド１３が原点センサ５０で検出された位置から進出した量を検出する位置検出センサである。５２は印刷機の各機構を制御する制御装置、５３は洗浄布の巻取り量のデータを制御装置５２に入力するデータ入力手段、５４は布巻取り用のアクチュエータを作動させ作動ロッド１３を５段階の進退量で進退させる５ポートソレノイドバルブである。
【００２３】
次に、このような印刷機のシリンダ洗浄装置における洗浄布の巻取り量を変える方法を説明する。まず、作動ロッド１３が原点位置に位置していることを原点センサ５０により確認して制御装置５２にそのデータを入力する。データ入力手段５３から洗浄布の巻取り量のデータを制御装置５２に入力する。そのデータに基づいて制御装置５２では作動ロッド１３の前進量を計算して、５ポートソレノイドバルブ５４にその作動ロッド１３の前進量に見合った制御信号を送る。５ポートソレノイドバルブ５４の作動により、前進した作動ロッド１３の前進量を位置検出センサ５１で検出して、そのデータが制御装置５２に送られ、制御装置では、上述したデータ入力手段５３による入力データと比較する。
このようにして、布巻取りレバー２２のピン２４に対して作動ロッド１３の位置が洗浄布の巻取り量のデータから自動的に遠近移動調節されるので、布巻取りレバー２２の回動による洗浄布の巻取り量を正確でかつ迅速に行うことができる。
【００２４】
図１１は本発明の第８の実施の形態を示す概略構成を示す側面図である。同図に示す実施の形態は、上述した図５に示す実施の形態と同等の構成を有しており、図６に示す実施の形態と異なる点は、洗浄ユニット（図示せず）を洗浄位置と退避位置との間を移動させるときに洗浄布を巻取る構造とせず、洗浄位置または退避位置に固定した状態としておいて洗浄布を巻取る構造とした点と、アクチュエータ１２が布巻取り用として作動し作動ロッド１３が進退する点である。
【００２５】
このような構成において、ナット４２ａ，４２ｂとを緩めてナット４２ａとアクチュエータ１２の後端面と間に間隔Ｓを形成する。アクチュエータ１２を作動させて作動ロッド１３を前進させると、ナット４２ａがアクチュエータ１２の後端面に係止するまで作動ロッド１３はストロークＳだけ前進して、布巻取りレバー２２を図中反時計方向に回動させて洗浄布を洗浄布巻取りロール２１に巻取る。ここで、洗浄布の巻取り量を変えるには、ナット４２ａ，４２ｂを緩めて間隔Ｓを変えて、作動ロッド１３の前進量を変えることにより行う。
なお、布巻取り用のアクチュエータ１２は、布巻取りレバー２２を搭載している洗浄ユニット（図示せず）に搭載してもよく、この場合にはアクチュエータ１２と布巻取りレバー２２との相対位置関係が常に一定となる。
【００２６】
図１２は本発明の第９の実施の形態を示す概略構成を示す側面図である。同図において、作動ロッド１３の先端部にはねじ部１３ａが形成されており、このねじ部１３ａにラック５５が螺合してナット５５ａによってラック５５は作動ロッド１３に取り付けられている。５６は布巻取り軸１９と同軸上で一方向クラッチ２３を介して連結されたピンオンで、ラック５５と噛合している。この実施の形態でも、布巻取り用のアクチュエータ１２は、布巻取り軸１９を搭載している洗浄ユニット（図示を省略）に搭載されている。
【００２７】
このような構成において、洗浄布の巻取り動作を説明すると、布巻取り用のアクチュエータ１２を作動させて作動ロッド１３を進退させる。作動ロッド１３は、予め設定された洗浄布の巻取り量のデータに基づき、原点センサ５０によって原点位置を検出され、位置検出センサ５１によって移動量が検出されて停止し、その進退量Ｌが決められる。作動ロッド１３の進退により、ラック５５が図中矢印Ｆ方向に往復移動し、ラック５５と噛合しているピニオン５６が時計および反時計方向に回転する。布巻取り軸１９は、ピニオン５６が反時計方向に回転するときに、一方向クラッチ２３を介してピニオン５６と一体的に回転して洗浄布を図示を省略した布巻取りロールに巻取る。このときの洗浄布の巻取り量は、ラック５５の移動量Ｌ、すなわち作動ロッド１３の進退量に等しい。ピニオン５６が時計方向に回転するときには、一方向クラッチ２３により回転が伝達されず、布巻取り軸１９は回転せずに停止する。ここで、洗浄布の巻取り量を変えるには、洗浄布の巻取り量のデータを変更し、この変更したデータに基づき、位置検出センサ５１が作動ロッド１３の変更した移動量を検出し、作動ロッド１３を停止させて移動量Ｌを変えることにより行われる。
【００２８】
図１３は本発明の第１０の実施の形態を示すブロック図である。同図において、５２は制御装置、５３はデータ入力手段、５８は図示を省略した布巻取り用アクチュエータを作動させる布送りソレノイドバルブ、５９は布巻取り用アクチュエータの作動回数を計数する布送り回数カウンタである。このような構成において、データ入力手段５３から洗浄布の巻取り量のデータを制御装置５２に入力すると、制御装置５２では、このデータに基づき布巻取り用アクチュエータの作動回数を設定し、布送りソレノイドバルブ５８に制御信号を送出する。布送りソレノイドバルブ５８は設定された回数作動して、布巻取り用アクチュエータ５９を作動させて洗浄布を巻取る。布送りソレノイドバルブ５８の作動回数は布送り回数カウンタ５９により計数される。洗浄布の巻取り量を変えるには、データ入力手段５３から制御装置５２に変更のデータを入力することにより、制御装置５２から布送りソレノイドバルブ５８に作動回数を変更した制御信号が送出されることにより行われる。
【００２９】
図１４は本発明の第１１の実施の形態を示し、（ａ）は要部の側面図、（ｂ）は一部を破断して示す正面図である。同図において、６０は布巻取りレバー２２の先端に枢着されたころ、６１はころ６０が対接するひし形状に形成されプーリ６１ａが一体に形成された駆動カムであって、サブフレーム１０に植設された支軸６１ｂに回転自在に支持されている。布巻取りレバー２２は図示を省略したばね部材によって図中時計方向、すなわちころ６０が駆動カム６１に対接するように付勢されている。６２は前記プーリ６１ａとモータ６４のモータ軸に軸着されたプーリ６３との間に張架されたベルトである。
【００３０】
このような構成において、モータ６４を駆動すると、モータ６４の回転は、プーリ６３、ベルト６２を介してプーリ６１ａに伝達され、駆動カム６１が回転する。駆動カム６１が回転することによって、駆動カム６１に対接するころ６０を介して、布巻取りレバー２２が時計、反時計方向に複数回揺動して、一方向クラッチ２３を介して連結された洗浄布巻取りロール２１を反時計方向に回転させて洗浄布１７を巻取る。ここで、洗浄布の巻取り量を変えるには、モータ６４の回転の設定回数を変え、駆動カム６１の回転数を変えることにより、布巻取りレバー２２の時計、反時計方向の揺動数を変えることにより行う。
【００３１】
図１５は本発明の第１２の実施の形態を示し、（ａ）は概略の構成を示す側面図、（ｂ）は一部を破断した正面図、（ｃ）はブロック図である。同図において、６５はエンコーダ６６を内蔵したモータであって、このモータ６５のモータ軸には、洗浄布巻取りロール２１の側面に一体に形成されたギア２１ａに噛合するギア６５ａが軸着されている。このような構成において、データ入力手段５３から洗浄布の巻取り量のデータを制御装置５２に入力すると、制御装置５２では、このデータに基づいてモータ６５の回転数を設定するとともに、モータ６５を駆動する制御信号を送出する。モータ６５の回転はギア６５ａおよびギア２１ａを介して洗浄布巻取りロール２１に伝達され、洗浄布１７が巻き取られる。モータ６５の回転数はエンコーダ６６から制御装置５２に入力され、制御装置５２ではこの回転数と上述した設定回転数とを比較して、一致したらモータ６５に駆動を停止する制御信号を送出する。ここで、洗浄布１７の巻取り量を変えるには、データ入力手段からの洗浄布の巻取り量のデータを変えることにより行うことができる。
【００３２】
図１６は本発明の第１３の実施の形態を示す概略構成図である。同図において、６８は図１５におけるエンコーダ６６に代わる洗浄布供給ロール１８に近接して配置した変位センサであって、洗浄布供給ロール１８の径の大きさを検出するものである。モータ６５の回転によって布巻取りロール２１が回転し、洗浄布１７は布巻取りロール２１に巻き取られ、洗浄布供給ロール１８の径が漸次小さくなる。変位センサ６８で洗浄布供給ロール１８の径の変化を検出し、制御装置５２では、検出した径の変化を洗浄布の巻取り量に変換し、予め設定した洗浄布の巻取り量と一致したら、モータ６５を停止させて洗浄布の巻取りを停止する。巻取り量を変えるには、入力データとしての洗浄布の巻取り量の設定を変えることにより行う。
【００３３】
図１７は本発明の第１４の実施の形態を示す概略構成図である。同図において、６９は図１５におけるエンコーダ６６に代わる巻き取られる洗浄布１７に近接して配置した送り量測定センサであって、洗浄布１７の移動量を測定するものである。モータ６５の回転によって布巻取りロール２１が回転し、洗浄布１７は布巻取りロール２１に巻き取られ、その巻取り量は洗浄布１７の移動量を移動量測定センサ６９によって測定される。制御装置５２では、測定された洗浄布１７の移動量と予め設定した洗浄布の巻取り量とが一致したら、モータ６５を停止させて洗浄布の巻取りを停止する。巻取り量を変えるには、入力データとしての洗浄布の巻取り量の設定を変えることにより行う。
【００３４】
なお、本実施の形態では、洗浄するシリンダとしてブランケット胴２の例に挙げたが、これに限定されず、版胴，渡し胴等の印刷胴や、着ローラ，振りローラ等のローラ等、洗浄が必要なすべてのシリンダに適用できることは勿論である。また、本実施の形態では、シリンダを洗浄する際、洗浄ウェブに洗浄液を吹き付ける構造としたが、シリンダの周面に洗浄液を吹き付けてから洗浄ウェブで拭き取るようにしてもよく、また予め洗浄液が湿らされている洗浄ウェブで拭き取るようにしても上述した同様の作用効果が得られることはいうまでないことである。
また、洗浄ウェブとして布を用いるようにしたが、これに限定されず紙、フィルム等でもよいことは勿論である。
さらに、洗浄布１７の供給部として、洗浄布巻取りロール１８を用いたが、例えば洗浄布１７を折り畳むようにして堆積状に収納した供給部としてもよく、種々の設計変更が可能である。
【００３５】
【発明の効果】
請求項１に係る発明によれば、洗浄ユニットの一方向の移動位置における作動部材と巻取りレバーとの離間間隔を遠近調節自在とし、これにより洗浄ユニットの他方向の移動位置における巻取りレバーの作動部材により回動される端限を調節して定量送り手段による洗浄ウェブの一定の巻取り量を調整するようにしたことにより、洗浄ウェブの巻取り量が調節され、このため、汚れた洗浄ウェブの巻取り量が不足して洗浄不良が発生するようなことがない。また、必要以上に巻取り過ぎるようなことがなく経済的である。
【００３６】
また、請求項２に係る発明によれば、アクチュエータの作動ロッドは後退することにより巻取りレバーと離間し前進することにより巻取りレバーに当接し巻取りレバーを回動させ、作動ロッドと巻取りレバーとの離間間隔を遠近調節自在とし、定量送り手段による洗浄ウェブの一定の巻取り量を調整するようにしたことにより、遠近調節した後は作動ロッドのみを進退させるだけで洗浄ウェブの一定の巻取り量が調節されるので、簡単な構造にもかかわらず洗浄ウェブの巻取り不足や巻取り過ぎを防止できる。
【図面の簡単な説明】
【図１】本発明に係る印刷機のシリンダ洗浄装置の側面図である。
【図２】本発明に係る印刷機のシリンダ洗浄装置の一部を破断して示す正面図である。
【図３】本発明に係る印刷機のシリンダ洗浄装置における動作を説明するための側面図である。
【図４】本発明に係る印刷機のシリンダ洗浄装置における動作を説明するための側面図である。
【図５】本発明に係る印刷機のシリンダ洗浄装置の第２の実施の形態の要部を示す側面図である。
【図６】本発明に係る印刷機のシリンダ洗浄装置の第３の実施の形態の要部を示す側面図である。
【図７】本発明に係る印刷機のシリンダ洗浄装置の第４の実施の形態を示し、（ａ）は要部の正面図、（ｂ）は一部を破断した側面図である。
【図８】本発明に係る印刷機のシリンダ洗浄装置の第５の実施の形態の要部を示す正面図である。
【図９】本発明に係る印刷機のシリンダ洗浄装置の第６の実施の形態の概略を示す構成図である。
【図１０】本発明に係る印刷機のシリンダ洗浄装置の第７の実施の形態を示し、（ａ）は概略の側面図、（ｂ）はブロック図である。
【図１１】本発明に係る印刷機のシリンダ洗浄装置の第８の実施の形態を示す概略の側面図である。
【図１２】本発明に係る印刷機のシリンダ洗浄装置の第９の実施の形態を示す概略の側面図である。
【図１３】本発明に係る印刷機のシリンダ洗浄装置の第１０の実施の形態を示すブロック図である。
【図１４】本発明に係る印刷機のシリンダ洗浄装置の第１１の実施の形態を示し、（ａ）は要部の正面図、（ｂ）は一部を破断した側面図である。
【図１５】本発明に係る印刷機のシリンダ洗浄装置の第１２の実施の形態を示し、（ａ）は要部の正面図、（ｂ）は一部を破断した側面図、（ｃ）はブロック図である。
【図１６】本発明に係る印刷機のシリンダ洗浄装置の第１３の実施の形態を示す概略の側面図である。
【図１７】本発明に係る印刷機のシリンダ洗浄装置の第１４の実施の形態を示す概略の側面図である。
【図１８】従来の印刷機のシリンダ洗浄装置の側面図である。
【図１９】従来の印刷機のシリンダ洗浄装置の一部を破断した正面図である。
【符号の説明】
２…ブランケット胴、４…ユニット着脱用のアクチュエータ、１２…布巻取り用のアクチュエータ、１５…洗浄ユニット、１７…洗浄布、１８…洗浄布供給ロール、１９…布巻取り軸、２１…洗浄布巻取りロール、２２…巻取りレバー、２４…ピン、２７…定量送り手段、２９…定量送りカム、３５…作動部材、４０…作動片、４４…補助レバー、４８…作動カム、５０…原点センサ、５１…位置センサ、５２…制御装置、５３…データ入力手段、５５…ラック、５６…ピニオン、６１…駆動カム、６５…モータ、６６…エンコーダ、６８…変位センサ、６９…移動量測定センサ。
【図１】
0003604785.tif 000002
【図２】
0003604785.tif 000003
【図３】
0003604785.tif 000004
【図４】
0003604785.tif 000005
【図５】
0003604785.tif 000006
【図６】
0003604785.tif 000007
【図７】
0003604785.tif 000008
【図８】
0003604785.tif 000009
【図９】
0003604785.tif 000010
【図１０】
0003604785.tif 000011
【図１１】
0003604785.tif 000012
【図１２】
0003604785.tif 000013
【図１３】
0003604785.tif 000014
【図１４】
0003604785.tif 000015
【図１５】
0003604785.tif 000016
【図１６】
0003604785.tif 000017
【図１７】
0003604785.tif 000018
【図１８】
0003604785.tif 000019
【図１９】
0003604785.tif 000020